(57)【要約】  容器内で大量に効率よく天敵を飼育する場合や天敵を輸送する場合においては、従来のシェルターの使用では充分な共食い防止は困難であることから、飼育中又は輸送中における共食い防止効果を上げる方法が求められている。天敵を飼育又は輸送するに際して使用されるセルロース繊維を含有しているシート状組成物（２）の集合体であるシェルター（１）並びに該シェルターを用いることを特徴とする天敵の飼育及び輸送方法を提供する。
2013157640.tif 000002
【特許請求の範囲】
【請求項１】
天敵を飼育または輸送するに際して使用されるシェルターであって、セルロース繊維を含有しているシート状組成物の集合体であることを特徴とするシェルター。
【請求項２】
前記シェルターが、複数の前記シート状組成物を束ねたものであり、束ねた前記シート状組成物の任意の位置が少なくとも１箇所固定または圧着されていることを特徴とする請求項１に記載のシェルター。
【請求項３】
前記シェルターが、2〜100枚の前記シート状組成物を束ねたものであることを特徴とする請求項２に記載のシェルター。
【請求項４】
前記シェルターの形状が、複数の短冊状の前記シート状組成物の一端を固定したものであることを特徴とする請求項１に記載のシェルター。
【請求項５】
前記短冊状のシート状組成物の大きさが、縦1〜10cm、横1〜10cmであり、それらを束ねた厚さが0.5〜10cmであることを特徴とする請求項４に記載のシェルター。
【請求項６】
前記シート状組成物が、紙、バージンパルプ、再生パルプ及びセルロース不織布からなる群から選択される少なくとも１種であることを特徴とする請求項１に記載のシェルター。
【請求項７】
前記シート状組成物が、紙であることを特徴とする請求項１に記載のシェルター。
【請求項８】
前記シート状組成物がバージンパルプを原料とした紙であることを特徴とする請求項１に記載のシェルター。
【請求項９】
天敵を飼育または輸送するに際して使用される容器であって、
請求項１に記載のシェルターが、容器の５〜１００容量％（資材間の空隙を含む）の割合で設置又は充填されていることを特徴とする容器。
【請求項１０】
請求項１に記載のシェルターを使用することを特徴とする天敵の飼育方法。
【請求項１１】
請求項１に記載のシェルターを使用することを特徴とする天敵の輸送方法。
【発明の詳細な説明】
【技術分野】
【０００１】
本発明は、捕食性節足動物である天敵、特に捕食性昆虫である天敵の飼育又は輸送に際して使用されるシェルターに関する。さらに、本発明は、該シェルターを用いた天敵の飼育方法、輸送方法に関する。
【背景技術】
【０００２】
捕食性昆虫である天敵を利用して農作物を加害する害虫を防除するためには、該捕食性昆虫を大量に飼育することが必要になる。一般に、捕食性昆虫は飼育中に共食いにより個体数が減少することが多いことから、紙、籾殻、蕎麦殻等をシェルターとして用いて飼育する方法が推奨されてきた。また、特許文献１には、発泡プラスチックシェルターを用いて天敵を飼育する方法が記載されている。
【先行技術文献】
【特許文献】
【０００３】
【特許文献１】日本国公開特許公報「特開平９−１５４４３６号（１９９７年６月１７日公開）」
【発明の概要】
【発明が解決しようとする課題】
【０００４】
容器内で大量に効率よく天敵を飼育する場合や天敵を輸送する場合においては、従来のシェルターの使用では充分な共食い防止は困難であることから、飼育中又は輸送中における共食い防止効果を上げる方法が求められている。
【課題を解決するための手段】
【０００５】
本発明は、上述の課題を解決するものであり、天敵を飼育又は輸送するに際して使用されるシェルターであって、セルロース繊維を含有しているシート状組成物の集合体であることを特徴とするシェルター、並びに、該シェルターを用いることを特徴とする天敵の飼育及び輸送方法を提供するものである。
【発明の効果】
【０００６】
本発明により、容器内で天敵の共食いを防止でき、大量に効率よく天敵を飼育又は輸送することができる。また、前記シェルターを用いることで、天敵を放飼する際、セルロース繊維を含有しているシート状組成物の集合体のまま或は該集合体から分離した前記シート状組成物を所望の場所へ設置又は処理することにより、簡便かつ効率的に天敵を放飼することができる。また、設置又は処理したシート状組成物の集合体又はシート状組成物は、作物収穫後などに廃棄する植物体と共に、焼却等の方法により簡便に処分することが可能であり、更には生分解され得るなど、環境面でも好ましい利点を有する。
【図面の簡単な説明】
【０００７】
【図１】本発明の一実施形態に係るシェルターの外観を示す斜視図である。
【図２】本発明の一実施形態に係る容器の外観を示す斜視図である。
【発明を実施するための形態】
【０００８】
以下、本発明の実施の形態について、図面を参照しながら詳細に説明する。なお、説明の便宜上、同じ機能を有する部材については、同じ符号を付記し、その説明を省略する。
【０００９】
図１は、本発明の一実施形態に係るシェルター１の外観を示す斜視図である。図面中のｘ軸、ｙ軸、ｚ軸は、それぞれの図面における３次元空間における方向を規定している。なお、本明細書において、シェルターの「横」の長さとは図１におけるｘ軸方向の長さを指し、「縦」の長さとは図１におけるｙ軸方向の長さを指す。また、本明細書において、シート状組成物、又は、束ねられたシート状組成物（換言すれば、シェルター）の「厚さ」とは、図１におけるｚ軸方向の長さを指す。
【００１０】
シェルター１は、天敵を飼育または輸送するに際して使用されるシェルターであって、複数のシート状組成物２を束ねたものであり、シート状組成物２はセルロース繊維を含有している。換言すれば、シェルター１は、複数のシート状組成物２の集合体である。前記構成によれば、シート状組成物同士の隙間および／または該シート状組成物を構成しているセルロース繊維の隙間に飼育対象となる天敵が身を隠すことが可能となる。その結果、例えば天敵同士の接触機会が少なくなり、共食いの可能性を減少させることができる。
【００１１】
なお、本発明に係るシェルターにおいては、束ねられた各々のシート状組成物が天敵の移動の障壁となる。換言すれば、シート状組成物同士の隙間に隠れた天敵は、各々のシート状組成物によって隔離される。また、１枚１枚のシート状組成物の間に形成された隙間においては、シート状組成物が天敵の体に接触するため、狭い場所を好む天敵にとって好適な環境が形成されている。そのため、本発明に係るシェルターによれば、束ねられていない１枚の紙からなるシェルター又は発泡プラスチックからなるシェルターに比べて、より効果的に天敵同士の接触機会を少なくすることができる。
【００１２】
本明細書において「シート状組成物」とは薄い紙状に成形されたものを意図している。前記シート状組成物の１枚あたりの厚さは特に限定されないが、例えば50〜300μｍである。
【００１３】
セルロース繊維を含有しているシート状組成物の素材は特に限定されないが、例えば、紙、バージンパルプ、再生パルプ及びセルロース不織布からなる群から選択される少なくとも１種が挙げられる。これらの中でも、紙及び／又はバージンパルプが望ましい。
【００１４】
セルロース繊維素材である紙としては、例えばティシュペーパー、キッチンタオル（キッチンペーパー又はキッチンロールとも呼ばれる）や動物用紙床材のようなバージンパルプを原料とした紙、新聞紙、コピー用紙、和紙、模造紙、ダンボール紙、藁半紙、トイレットペーパーなどが挙げられ、なかでも保湿性を有し表面に凹凸を有するものが好ましく、具体的にはバージンパルプを原料とした紙が好ましい。
【００１５】
セルロース繊維素材であるバージンパルプとしては、木材や非木材から直接作られた主に製紙用に用いるパルプが挙げられる。木材パルプとしては、例えば、モミ、マツ等の針葉樹林由来のＮ材や、ユーカリ、ポプラ等の広葉樹林由来のＬ材が挙げられる。非木材パルプとしては、例えば、ワラパルプ、バガスパルプ、ヨシパルプ、ケナフパルプ、クワパルプ等が挙げられる。これらのなかでも保湿性を有し、空隙を多く有するもの、表面に凹凸を有するものが好ましい。
【００１６】
セルロース繊維素材である再生パルプとしては、古紙や裁落のような回収紙を原料とした製紙用に用いるパルプが挙げられる。また、セルロース不織布としては、木材パルプ等のセルロース由来の繊維を接着剤或いは繊維自身の融着力により接合して作ったシート状の布が挙げられる。これらのなかでも保湿性を有し、空隙を多く有するもの、表面に凹凸を有するものが好ましい。
【００１７】
前記シート状組成物が保湿性を有していれば、天敵が好む湿度を提供することができるため、好ましい。また、前記シート状組成物が空隙を多く有している場合、および、表面に凹凸を有している場合には、天敵がより隠れやすいため、好ましい。なお、前記シート状組成物が「空隙を有している」とは、前記シート状組成物を構成しているセルロース繊維同士に隙間が生じ、シート状組成物の表面に小さな空隙が生じていることを意味する。
【００１８】
束ねるシート状組成物の枚数は、素材となる紙の種類、飼育又は輸送対象となる天敵の種類や数、使用する容器の種類や大きさ等に応じ適宜調整することができ、一概に決めることはできないが、好ましくは2〜100枚程度、より好ましくは10〜50枚程度、更に好ましくは15〜30枚程度である。但し、前記各種条件によっては、これら範囲外の枚数を選択することもできる。
【００１９】
また、束ねたシート状組成物は、任意の位置が少なくとも１箇所固定または圧着されていることが好ましい。前記構成により、飼育又は輸送対象となる天敵が身を隠すことが可能となるシート状組成物同士の隙間を、飼育から輸送の段階に至るまで維持することが可能となり好ましい。固定する手段は特に限定されるものではなく、例えばステープラー、紐、クリップなどを適宜使用できる。
【００２０】
本明細書において「圧着されている」とは、シート状組成物が前記ステープラー、紐、クリップ等の固定手段を用いずに束ねられている状態を意味する。例えば、前記シート状組成物の素材がバージンパルプまたは再生パルプである場合、ステープラー、紐、クリップ等の固定手段を用いずに、圧着された状態で束ねられていてもよい。上記「圧着されている」状態とは、例えば、重ねられたシート状組成物を裁断する際の圧力によって、複数枚のシート状組成物の任意の位置が密着した状態となっていることが意図される。
【００２１】
なお、シート状組成物において固定または圧着されている位置は、特に限定されず、シート状組成物の端部であってもよいし、中央であってもよい。
【００２２】
本発明に係るシェルターの形状は、本発明の目的に適合する限り特に限定されないが、例えば、複数の短冊状のシート状組成物の一端を固定したシェルターの使用が好ましい。短冊状のシート状組成物の大きさは、例えば縦１〜10cm、横１〜10cm程度のものが好ましい。それらを束ねた場合の厚さは、例えば0.5〜10cm程度のものが好ましく、0.5〜3cm程度のものがより好ましい。
【００２３】
本発明により飼育又は輸送される天敵は捕食性節足動物であり、例えば昆虫類、クモ類、ダニ類などが挙げられる。
【００２４】
前記昆虫類としては、例えばアカメガシワクダアザミウマ（Haplothrips brevitubus）、アリガタシマアザミウマ（Franklinothrips vespiformis）、シナクダアザミウマ（Haplothrips chinensis）のような捕食性アザミウマ類；タイリクヒメハナカメムシ（Orius strigicollis）、ナミヒメハナカメムシ（Orius sauteri）のような捕食性ハナカメムシ類；ヤマトクサカゲロウ（Chrysoperla carnea）、ニッポンクサカゲロウ（Chrysoperla nipponensis）、ヨツボシクサカゲロウ（Chrysopa pallens）のようなクサカゲロウ類；ナミテントウ（Harmonia axyridis）、ナナホシテントウ（Coccinella septempunctata）、ヒメカメノコテントウ（Propylaea japonica）のようなテントウムシ類；アオゴミムシ（Chlaenius pallipes）、オオアトボシアオゴミムシ（Chlaenius micans）のようなゴミムシ類；オオハサミムシ（Labidura riparia）のようなハサミムシ類；などが挙げられる。
【００２５】
前記クモ類としては、例えばアダンソンハエトリ（Hasarius adansoni）、チャスジハエトリ（Plexippus paykulli）、シラヒゲハエトリ（Menemerus brachygnathus）のようなハエトリグモ類；ウヅキコモリグモ（Pardosa astrigera）、キクヅキコモリグモ（Pardosa pseudoannulata）、キバラコモリグモ（Pirata subpiraticus）のようなコモリグモ類；などが挙げられる。
【００２６】
前記ダニ類としては、例えばチリカブリダニ（Phytoseiulus persimilis）、ミヤコカブリダニ（Neoseiulus californicus）、ククメリスカブリダニ（Neoseiulus cucumeris）、スワルスキーカブリダニ（Amblyseius swirskii）、ケナガカブリダニ（Neoseiulus womersleyi）、リモニカスカブリダニ（Amblydromalus limonicus）、キイカブリダニ（Gynaeseius liturivorus）、ヘヤカブリダニ（Neoseiulus barkeri）、ディジェネランスカブリダニ（Iphiseius degenerans）のようなカブリダニ類；などが挙げられる。
【００２７】
本発明の飼育方法は、通常の飼育方法（例えば、湯嶋健ら編、日本植物防疫協会発行「昆虫の飼育法」を参照）にしたがって天敵を飼育する際に、飼育場所にシェルターとして少なくとも１つのシート状組成物の束を設置することによりなされる。用いられるシェルターの量は、天敵の種類や数などにより異なるが、好ましくは飼育容器の5〜100容量％程度（資材間の空隙を含む）を占めるようシェルターを設置又は充填する。但し、前記各種条件によっては、これら範囲外の量を選択することもできる。
【００２８】
具体的な操作例としては、飼育容器中に、天敵である捕食性節足動物、例えば捕食性昆虫の卵であれば、飼育容器 250ml当り2〜1400個、好ましくは500〜900個を放し（処理し）、適宜給餌する方法が挙げられる。餌としては、飼育対象となる天敵の種類や数などに応じ、適当なものを選択することができるが、例えば植物の花粉、動物性タンパク質、節足動物の卵や幼虫や成虫などが挙げられる。その一例として、捕食性節足動物がアカメガシワクダアザミウマである場合には、鱗翅目昆虫の卵などを用いることができる。
【００２９】
本発明の輸送方法としては、例えば、天敵である捕食性節足動物の輸送容器に本発明に係るシェルターを設置又は充填しておき、そこに該節足動物、さらに、必要によりその餌を詰めればよい。紙束シェルターの設置又は充填方法、或は、天敵や餌の処理又は使用方法は、前述した天敵の飼育方法の場合と同様である。また、飼育容器を輸送時にそのまま使用することも可能である。図２は、本発明の一実施形態に係る容器３の外観を示す斜視図である。容器３の内部にはシェルター１が設置又は充填されている。
【００３０】
次に、本発明の方法の望ましい実施形態のいくつかを例示するが、これらは本発明を限定するものではない。
【００３１】
＜１＞天敵を飼育または輸送するに際して使用されるシェルターであって、セルロース繊維を含有しているシート状組成物の集合体であることを特徴とするシェルター。
【００３２】
＜２＞前記シェルターが、複数の前記シート状組成物を束ねたものであり、束ねた前記シート状組成物の任意の位置が少なくとも１箇所固定または圧着されていることを特徴とする＜１＞に記載のシェルター。
【００３３】
＜３＞前記シェルターが、2〜100枚の前記シート状組成物を束ねたものであることを特徴とする＜２＞に記載のシェルター。
【００３４】
＜４＞前記シェルターの形状が、複数の短冊状の前記シート状組成物の一端を固定したものであることを特徴とする＜１＞に記載のシェルター。
【００３５】
＜５＞前記短冊状のシート状組成物の大きさが、縦1〜10cm、横1〜10cmであり、それらを束ねた厚さが0.5〜10cmであることを特徴とする＜４＞に記載のシェルター。
【００３６】
＜６＞前記シート状組成物が、紙、バージンパルプ、再生パルプ及びセルロース不織布からなる群から選択される少なくとも１種であることを特徴とする＜１＞に記載のシェルター。
【００３７】
＜７＞前記シート状組成物が、紙及びバージンパルプのうちの少なくとも１種であることを特徴とする＜１＞に記載のシェルター。
【００３８】
＜８＞前記シート状組成物が、紙であることを特徴とする＜１＞に記載のシェルター。
【００３９】
＜９＞天敵を飼育または輸送するに際して使用される容器であって、＜１＞に記載のシェルターが、容器の５〜１００容量％（資材間の空隙を含む）の割合で設置又は充填されていることを特徴とする容器。
【００４０】
＜１０＞＜１＞に記載のシェルターを使用することを特徴とする天敵の飼育方法。
【００４１】
＜１１＞＜１＞に記載のシェルターを使用することを特徴とする天敵の輸送方法。
【００４２】
また、本発明は以下のように構成することも可能である。
【００４３】
（１）天敵を飼育するに際して、セルロース繊維束シェルターを用いることを特徴とする天敵の飼育方法。
【００４４】
（２）セルロース繊維束シェルターが複数のセルロース繊維を束ねたものであり、束ねたセルロース繊維の任意の位置が少なくとも１箇所固定されている、（１）記載の天敵の飼育方法。
【００４５】
（３）セルロース繊維束シェルターが2〜100枚のセルロース繊維を束ねたものである、（２）記載の天敵の飼育方法。
【００４６】
（４）セルロース繊維束シェルターの形状が、複数の短冊状のセルロース繊維の一端を固定したものである、（１）記載の天敵の飼育方法。
【００４７】
（５）短冊状のセルロース繊維の大きさが縦１〜10cm、横１〜10cmであり、それらを束ねた厚さが0.5〜10cmである、（４）記載の天敵の飼育方法。
【００４８】
（６）セルロース繊維束シェルターを、飼育容器の5〜100容量％（資材間の空隙を含む）の割合で設置又は充填する、（１）〜（５）記載の天敵の飼育方法。
【００４９】
（７）天敵を輸送するに際して、セルロース繊維束シェルターを用いることを特徴とする天敵の輸送方法。
【００５０】
（８）セルロース繊維束シェルターが複数のセルロース繊維を束ねたものであり、束ねたセルロース繊維の任意の位置が少なくとも１箇所固定されている、（７）記載の天敵の輸送方法。
【００５１】
（９）セルロース繊維束シェルターが2〜100枚のセルロース繊維を束ねたものである、（８）記載の天敵の輸送方法。
【００５２】
（１０）セルロース繊維束シェルターの形状が、複数の短冊状のセルロース繊維の一端を固定したものである、（７）記載の天敵の輸送方法。
【００５３】
（１１）短冊状のセルロース繊維の大きさが縦１〜10cm、横１〜10cmであり、それらを束ねた厚さが0.5〜10cmである、（１０）記載の天敵の輸送方法。
【００５４】
（１２）セルロース繊維束シェルターを、輸送容器の5〜100容量％（資材間の空隙を含む）の割合で設置又は充填する、（７）〜（１１）記載の天敵の輸送方法。
【００５５】
（１３）セルロース繊維が紙、バージンパルプ、再生パルプ及びセルロース不織布からなる群から選択される少なくとも１種である（１）〜（６）記載の方法。
【００５６】
（１４）セルロース繊維が紙である（１）〜（６）記載の方法。
【００５７】
（１５）セルロース繊維がバージンパルプを原料とした紙である（１）〜（６）記載の方法。
【００５８】
（１６）セルロース繊維が紙、バージンパルプ、再生パルプ及びセルロース不織布からなる群から選択される少なくとも１種である（７）〜（１２）記載の方法。
【００５９】
（１７）セルロース繊維が紙である（７）〜（１２）記載の方法。
【００６０】
（１８）セルロース繊維がバージンパルプを原料とした紙である（７）〜（１２）記載の方法。
【実施例】
【００６１】
本発明をより詳しく述べるために、以下に実施例を記載するが、本発明はこれらに限定して解釈されるものではない。なお、本実施例で使用された動物用紙床材は、複数の短冊状の動物用紙床材が圧着されて束ねられているものである。【００６２】
＜実施例１＞
250ml容量のポリスチレンカップ内に、キッチンタオル（王子ネピア株式会社製；バージンパルプを原料とした紙）で作った、縦3cm×横7cmの短冊20枚（厚さ約1cm）の一端をステープラーで固定した紙束シェルターを１つ（10容量％程度：空隙も含む体積）入れた。さらに、水をしみ込ませた綿（直径2cm×2cm×0.5cm）１個をプラスチックシャーレに入れて容器内に設置した。該ポリスチレンカップ内にアカメガシワクダアザミウマの卵700個を放し、餌としてスジコナマダラメイガ卵を与えた。餌は飼育中適宜補給した。１５日後に生存虫数を数え、生存率を求めた。試験は6又は10回反復実施し、その平均生存率を第１表に示す。比較のために、濾紙（直径9cm）を波状に折ったもの、直径5mmのポリスチレンフォーム、バーミキュライトの各々をシェルターとして用いた場合およびシェルターを入れなかった場合の平均生存率も合わせて示す。【００６３】
【表１】
2013157640.tif 000003
【００６４】
Tukeyの方法（ｐ＜0.05）で評価した結果、本発明区の平均生存率と比較区の平均生存率に有意差があることが統計学上確認された。【００６５】
＜実施例2＞
250ml容量のポリスチレンカップ内に、キッチンタオル（王子ネピア株式会社製）で作った、縦3cm×横7cmの短冊20枚（厚さ約1cm）の一端をステープラーで固定した紙束シェルターを１つ（10容量％程度：空隙も含む体積）または縦1cm×横2cm程度の短冊状の動物用紙床材（商品名ごきげん快適マット（ジェックス株式会社製））20ml（10容量％程度：空隙も含む体積）を入れた。さらに、水をしみ込ませた綿（直径2cm×2cm×0.5cm）１個をプラスチックシャーレに入れて容器内に設置した。該ポリスチレンカップ内にアカメガシワクダアザミウマの卵100個を放し、餌としてスジコナマダラメイガ卵を与えた。餌は飼育中適宜補給した。23日後に生存虫数を数え、生存率を求めた。試験は6回反復実施し、その平均生存率を第２表に示す。比較のために、バーミキュライトをシェルターとして用いた場合の平均生存率も合わせて示す。【００６６】
【表２】
2013157640.tif 000004
【００６７】
Tukeyの方法（ｐ＜0.05）で評価した結果、本発明区の平均生存率と比較区の平均生存率に有意差があることが統計学上確認された。【００６８】
＜実施例3＞
250ml容量のポリスチレンカップ内に、キッチンタオル（王子ネピア株式会社製）で作った、縦3cm×横7cmの短冊20枚（厚さ約1cm）の一端をステープラーで固定した紙束シェルターを3つ（25容量％程度：空隙も含む体積）入れた。該ポリスチレンカップ内にニッポンクサカゲロウの1齢幼虫、2齢幼虫、3齢幼虫を各4頭（計12頭）ずつ放し、餌としてスジコナマダラメイガ卵を与えた。餌は飼育中適宜補給した。１２日後に生存虫数を数え、生存率を求めた。試験は3回反復実施し、その平均生存率を第３表に示す。比較のために、シェルターを入れなかった場合の平均生存率も合わせて示す。【００６９】
【表３】
2013157640.tif 000005
【００７０】
t検定（ｐ＜0.01）で評価した結果、本発明区の平均生存率と比較区の平均生存率に有意差があることが統計学上確認された。【００７１】
＜実施例4＞
250ml容量のポリスチレンカップ内に、キッチンタオル（王子ネピア株式会社製）で作った、縦3cm×横7cmの短冊20枚（厚さ約1cm）の一端をステープラーで固定した紙束シェルターを3つ（25容量％程度：空隙も含む体積）入れた。該ポリスチレンカップ内にタイリクヒメハナカメムシの1齢幼虫、3齢幼虫、5齢幼虫を各4頭ずつ放し、餌としてスジコナマダラメイガ卵を与えた。餌は飼育中適宜補給した。１０日後に生存虫数を数え、生存率を求めた。試験は3回反復実施し、その平均生存率を第４表に示す。比較のために、シェルターを入れなかった場合の平均生存率も合わせて示す。【００７２】
【表４】
2013157640.tif 000006
【００７３】
t検定（ｐ＜0.01）で評価した結果、本発明区の平均生存率と比較区の平均生存率に有意差があることが統計学上確認された。【００７４】
＜実施例5＞
500ml容量のポリエチレンボトル内に、キッチンタオル（王子ネピア株式会社製）で作った、縦3cm×横7cmの短冊20枚（厚さ約1cm）の一端をステープラーで固定した紙束シェルターを５つ（20容量％程度：空隙も含む体積）またはおよび縦1cm×横2cm程度の短冊状の動物用紙床材（商品名ごきげん快適マット（ジェックス株式会社製））100ml（10容量％程度：空隙も含む体積）を入れた。該ポリエチレンボトル内にアカメガシワクダアザミウマの成虫100頭を放した。輸送を模して常温に放置１日後に生存虫数を数え、生存率を求めた。試験は4回反復実施し、その平均生存率を第５表に示す。比較のために、バーミキュライトをシェルターとして用いた場合の平均生存率も合わせて示す。【００７５】
【表５】
2013157640.tif 000007
【００７６】
Tukeyの方法（ｐ＜0.05）で評価した結果、本発明区の平均生存率と比較区の平均生存率に有意差があることが統計学上確認された。
【産業上の利用可能性】
【００７７】
本発明のシェルター、飼育方法及び輸送方法により、天敵の効率的な飼育及び輸送が可能となる。
【符号の説明】
【００７８】
１  シェルター
２  シート状組成物
３  容器
【図１】
2013157640.tif 000008
【図２】
2013157640.tif 000009
【国際調査報告】
2013157640.tif 000010
2013157640.tif 000011